(57)【要約】      （修正有）【課題】一度に少量の枚数で細断する場合は投入口の開口隙間を小さく、一度に大量の枚数を細断する場合は投入口の開口隙間を大きくすることで、投入枚数を任意に調整出来るようにしたシュレッダーの被細断物投入口機構を提供する。【解決手段】被細断物を細断する細断刃と前記細断刃を回転駆動するモ−タを内蔵する筐体とを有するシュレッダーの筐体上部に設けられるシュレッダーの被細断物投入口機構であり、幅広上方開口部と、前記幅広上方開口部から投入された被細断物を前記細断刃へと案内する幅狭案内路と、前記幅広上方開口部と前記幅狭案内路とを結ぶ一対の傾斜路と、前記一対の傾斜路のいずれか一方の傾斜面に沿って設けられ、前記幅狭案内路の開口間隔を制限するため、前記幅狭案内路に向かって出没自在とされた投入枚数制限カバーと、を有するようにした。【選択図】図２
0003183774.tif 000002
【実用新案登録請求の範囲】
【請求項１】
被細断物を細断する細断刃と前記細断刃を回転駆動するモ−タを内蔵する筐体とを有するシュレッダーの筐体上部に設けられるシュレッダーの被細断物投入口機構であり、
幅広上方開口部と、
前記幅広上方開口部から投入された被細断物を前記細断刃へと案内する幅狭案内路と、
前記幅広上方開口部と前記幅狭案内路とを結ぶ一対の傾斜路と、
前記一対の傾斜路のいずれか一方の傾斜面に沿って設けられ、前記幅狭案内路の開口間隔を制限するため、前記幅狭案内路に向かって出没自在とされた投入枚数制限カバーと、
を有することを特徴とするシュレッダーの被細断物投入口機構。
【請求項２】
前記枚数制限カバーが、前記幅狭案内路の開口間隔を塞ぐことにより、被細断物の誤細断を防止してなることを特徴とする請求項１記載のシュレッダーの被細断物投入口機構。
【請求項３】
前記枚数制限カバーに設けられた複数の被係合部と、前記被係合部に対応して、前記傾斜面に設けられた係合部と、を有し、前記係合部と被係合部とが係合せしめられることにより、前記枚数制限カバーを前記幅狭案内路に向かって出没自在としてなることを特徴とする請求項１又は２記載のシュレッダーの被細断物投入口機構。
【請求項４】
前記枚数制限カバーに設けられた被係合部と、前記被係合部に対応して、前記傾斜面に設けられた複数の係合部と、を有し、前記係合部と被係合部とが係合せしめられることにより、前記枚数制限カバーを前記幅狭案内路に向かって出没自在としてなることを特徴とする請求項１又は２記載のシュレッダーの被細断物投入口機構。
【請求項５】
前記被係合部が、凹部又は凸部であり、前記凹部に対応した凸部又は前記凸部に対応した凹部が前記係合部であることを特徴とする請求項３又は４記載のシュレッダーの被細断物投入口機構。
【考案の詳細な説明】
【技術分野】
【０００１】
本考案は、シュレッダーの被細断物投入口機構に関し、特に詳しくは、シュレッダーにおける投入枚数を任意に調整出来る機構を備えたシュレッダーの被細断物投入口機構に関する。
【背景技術】
【０００２】
従来、シュレッダーとしては、廃棄用紙などの紙を細断するシュレッダーが広く知られている。
【０００３】
本願出願人らは、廃棄用紙などを細断する細断刃を備えた細断部と、該細断部によって細断された細断屑を収容する屑収容箱と、該屑収容箱を外部に取出すための開閉自在の扉と、該屑収容箱の上方に上下動自在かつ回転自在に取りつけられた屑ならし手段と、該屑ならし手段を上方の待機位置及び下方の屑ならし位置にそれぞれ移動停止せしめる移動停止手段とを有し、該移動停止手段が上記扉の開閉に連動し、該扉を開放すると該屑ならし手段が上方の待機位置に移動停止して上記屑収容箱が取り出し可能となり、該扉を閉めると該屑ならし手段が下方の屑ならし位置に移動停止して該屑収容箱内の細断屑のならし作業が可能となるようにしたことを特徴とするシュレッダーの細断屑ならし装置を提案しており、好評を得ている（特許文献１）。
【０００４】
ユーザーがシュレッダーを選定する場合、重要な性能のひとつに最大細断枚数がある（一度に何枚の細断が可能か）。当然最大細断枚数が多い方がシュレッダーの付加価値として高い。しかしながら、最大細断枚数が増えれば必然的に細断物を投入する投入口の隙間寸法は大きくなる。
【０００５】
したがって、一度に大量の枚数の細断が可能なシュレッダーは、細断物を投入する投入口の隙間寸法は大きくなり、ユーザーへの危険性が高くなる。また、最大枚数を超えた過投入をしてしまうユーザーも多く、シュレッダーに大きな負荷をかけてしまうケースもある。
【先行技術文献】
【特許文献】
【０００６】
【特許文献１】特許３２７３８８１号公報
【考案の概要】
【考案が解決しようとする課題】
【０００７】
本考案は、上記した従来技術の問題点に鑑みなされたもので、一度に少量の枚数で細断する場合は投入口の開口隙間を小さく、一度に大量の枚数を細断する場合は投入口の開口隙間を大きくすることで、投入枚数を任意に調整出来るようにしたシュレッダーの被細断物投入口機構を提供することを目的とする。
【課題を解決するための手段】
【０００８】
上記課題を解決するために、本考案に係るシュレッダーの被細断物投入口機構は、被細断物を細断する細断刃と前記細断刃を回転駆動するモ−タを内蔵する筐体とを有するシュレッダーの筐体上部に設けられるシュレッダーの被細断物投入口機構であり、幅広上方開口部と、前記幅広上方開口部から投入された被細断物を前記細断刃へと案内する幅狭案内路と、前記幅広上方開口部と前記幅狭案内路とを結ぶ一対の傾斜路と、前記一対の傾斜路のいずれか一方の傾斜面に沿って設けられ、前記幅狭案内路の開口間隔を制限するため、前記幅狭案内路に向かって出没自在とされた投入枚数制限カバーと、を有することを特徴とする。
【０００９】
このように、シュレッダーにおいて、被細断物が案内される幅狭案内路の開口隙間を、任意に可変させることで被細断物の投入枚数を調整することが出来る。
【００１０】
また、出没自在とされた前記投入枚数制限カバーが、前記幅狭案内路の開口間隔を塞ぐことにより、被細断物の誤細断を防止してなるように構成することもできる。このように、前記幅狭案内路の隙間を無くすことでシュレッダーを使用していないときの誤細断が防げるため、安全性を向上させることができる。
【００１１】
前記枚数制限カバーに設けられた複数の被係合部と、前記被係合部に対応して、前記傾斜面に設けられた係合部と、を有し、前記係合部と被係合部とが係合せしめられることにより、前記枚数制限カバーを前記幅狭案内路に向かって出没自在としてなるように構成するのが好適である。
【００１２】
また、前記枚数制限カバーに設けられた被係合部と、前記被係合部に対応して、前記傾斜面に設けられた複数の係合部と、を有し、前記係合部と被係合部とが係合せしめられることにより、前記枚数制限カバーを前記幅狭案内路に向かって出没自在としてなるように構成することもできる。
【００１３】
前記被係合部が、凹部又は凸部であり、前記凹部に対応した凸部又は前記凸部に対応した凹部が前記係合部であるのが好ましい。
【考案の効果】
【００１４】
本考案に係るシュレッダーの被細断物投入口機構によれば、一度に少量の枚数で細断する場合は投入口の開口隙間を小さく、一度に大量の枚数を細断する場合は投入口の開口隙間を大きくすることで、投入枚数を任意に調整出来るようにしたシュレッダーの被細断物投入口機構を提供することができるという著大な効果を有する。
【図面の簡単な説明】
【００１５】
【図１】本考案の一つの実施の形態を示す正面斜視概略図である。
【図２】図１の横断面概略図であり、（ａ）が幅狭案内路の開口間隔が大きい場合、（ｂ）が幅狭案内路の開口間隔が中程度の場合、（ｃ）が幅狭案内路の開口間隔が小さい場合、（ｄ）が幅狭案内路の開口間隔が無い場合、を示す。
【図３】図１の平面図であり、（ａ）が幅狭案内路の開口間隔が大きい場合、（ｂ）が幅狭案内路の開口間隔が小さい場合を示す。
【図４】図１の背面斜視概略図である。
【図５】図４の分解図である。
【図６】図４の要部拡大概略図である。
【図７】図４の要部拡大側面図である。
【図８】図４に示した係合部の拡大概略図である。
【考案を実施するための形態】
【００１６】
以下に本考案の一つの実施の形態を実施例に基づき添付図面を参照して説明する。本考案の技術思想から逸脱しない限りこれらの実施の形態について種々の変更又は変形が可能なことは言うまでもない。なお、同一部材は同一符号で示される。
【００１７】
図１〜図７において、符号１０は本考案に係るシュレッダーの被細断物投入口機構を示す。前記被細断物投入口機構１０は、被細断物を細断する細断刃と前記細断刃を回転駆動するモ−タを内蔵する筐体とを有するシュレッダーの筐体上部に設けられるシュレッダーの被細断物投入口機構である。
【００１８】
前記被細断物投入口機構１０は、幅広上方開口部１２と、前記幅広上方開口部１２から投入された被細断物を前記細断刃へと案内する幅狭案内路１４と、前記幅広上方開口部１２と前記幅狭案内路１４とを結ぶ一対の傾斜路１６，１８と、前記一対の傾斜路１６，１８のいずれか一方の傾斜面に沿って設けられ、前記幅狭案内路１４の開口間隔Ｄ１を制限するため、前記幅狭案内路１４に向かって出没自在とされた投入枚数制限カバー２０と、を有する。
【００１９】
図示例では、傾斜路１６の傾斜面Ｓ１に沿って投入枚数制限カバー２０が設けられた例を示した。なお、投入枚数制限カバー２０は、前記一対の傾斜路１６，１８のいずれか一方の傾斜面に沿って設けられればよいものであるから、傾斜路１８の傾斜面Ｓ２に沿って投入枚数制限カバー２０を設ける構成としてもよい。
【００２０】
前記被細断物投入口機構１０は、図２（ａ）〜（ｄ）に示すように、投入枚数制限カバー２０が前記幅狭案内路１４に向かって徐々に突出せしめられることで、前記幅狭案内路１４の開口間隔Ｄ１が小さくなり、これによりシュレッダーへの被細断物の投入枚数を制限することができる。開口間隔Ｄ１の調整幅は任意で何段階でも調整可能となる。
【００２１】
図２（ａ）〜（ｄ）の例でいえば、（ａ）が幅狭案内路の開口間隔が大きい場合（例えば被細断物を５０枚まで投入可能）、（ｂ）が幅狭案内路の開口間隔が中程度の場合（例えば被細断物を３０枚まで投入可能）、（ｃ）が幅狭案内路の開口間隔が小さい場合（例えば被細断物を１０枚まで投入可能）、（ｄ）が幅狭案内路の開口間隔が無い場合（被細断物を投入不可）、のように設定することが可能である。
【００２２】
そして、前記枚数制限カバー２０が、前記幅狭案内路１４に向かって最も突出せしめられると、図２（ｄ）に示すように、前記幅狭案内路１４の開口間隔Ｄ１が無くなって、前記枚数制限カバー２０が開口間隔Ｄ１を塞いた状態となる。これにより、被細断物は前記幅狭案内路１４を通過できないため、被細断物の誤細断が防止される。
【００２３】
図３は、本考案に係るシュレッダーの被細断物投入口機構１０を上面から見た図である。前記被細断物投入口機構１０は、図３（ａ）〜（ｂ）に示すように、投入枚数制限カバー２０が前記幅狭案内路１４に向かって徐々に突出せしめられることで、前記幅狭案内路１４の開口間隔Ｄ１が小さくなり、これによりシュレッダーへの被細断物の投入枚数を制限することができる。
【００２４】
さらに、投入枚数制限カバー２０は前記幅狭案内路１４に向かって出没自在とする構成の一つの実施の形態を図４〜図８に示す。
【００２５】
投入枚数制限カバー２０は、裏面に投入枚数制限カバーアーム２２ａ，２２ｂを有し、前記投入枚数制限カバーアーム２２ａ，２２ｂには複数の被係合部２４ａ，２４ｂ，２４ｃ，２４ｄが設けられている。また、投入枚数制限カバーアーム２２ａ，２２ｂにはスライドシート３２ａが貼り付けられている。
【００２６】
一方、前記傾斜面１６は、裏面にアーム固定金具２６ａ，２６ｂを有し、前記アーム固定金具２６ａ，２６ｂには、前記被係合部２４ａ，２４ｂ，２４ｃ，２４ｄに対応して、係合部２８と、を有している。また、アーム固定金具２６ａ，２６ｂにはスライドシート３２ｂ，３２ｃが貼り付けられている。そして、前記係合部２８と被係合部２４ａ，２４ｂ，２４ｃ，２４ｄとが係合せしめられることにより、前記枚数制限カバー２０が前記幅狭案内路１４に向かって出没自在とされている。
【００２７】
図５には図４の分解図を示した。図４〜図７の図示例では、前記被係合部２４ａ，２４ｂ，２４ｃ，２４ｄを凹部とし、前記係合部２８を凹部である前記被係合部２４ａ，２４ｂ，２４ｃ，２４ｄに対応した凸部とした例を示した。
【００２８】
このように、前記アーム固定金具２６ａ，２６ｂにより前記投入枚数制限カバーアーム２２ａ，２２ｂが上下左右に対し固定することができる。また、スライドシート３２ａ，３２ｂ，３２ｃによって、それぞれ接触面に対し抵抗が低減されている。
【００２９】
これにより、図６及び図７によく示される如く、前記枚数制限カバー２０が前記幅狭案内路１４に向かって出没自在とされるとともに、前記係合部２８が前記被係合部２４ａ，２４ｂ，２４ｃ，２４ｄのいずれかに係合されて、前記幅狭案内路１４の開口間隔Ｄ１が大・中・小へと変化せしめられる。すなわち、前記枚数制限カバー２０が前記傾斜路１６に沿って平行に動作可能とされている。そして、前記被係合部２４ａ，２４ｂ，２４ｃ，２４ｄである複数の穴（凹部）に前記係合部２８を係合せしめることで、前記枚数制限カバー２０を任意の位置で停止せしめることができる。
【００３０】
また、図示例では、前記係合部２８は、プランジャーであり、上部に取り付けられた球体３０が、プランジャー内に内蔵されたバネの力により上下するように構成されている。
【００３１】
なお、図示例では、前記枚数制限カバー２０に複数の被係合部２４ａ，２４ｂ，２４ｃ，２４ｄを設け、前記被係合部２４ａ，２４ｂ，２４ｃ，２４ｄに対応して、前記傾斜面１６に設けられた係合部２８を設けた例を示したが、前記枚数制限カバー２０に被係合部を設け、前記被係合部に対応して、前記傾斜面１６に複数の係合部を設け、前記係合部と被係合部とが係合せしめられることにより、前記枚数制限カバー２０を前記幅狭案内路１４に向かって出没自在としてもよい。
【００３２】
さらに、図示例では、前記被係合部２４ａ，２４ｂ，２４ｃ，２４ｄが凹部であり、前記係合部２８が前記凹部に対応した凸部である例を示したが、前記被係合部２４ａ，２４ｂ，２４ｃ，２４ｄが凸部であり、前記係合部２８が前記凸部に対応した凹部としてもよい。
【符号の説明】
【００３３】
１０：被細断物投入口機構、１２：幅広上方開口部、１４：幅狭案内路、１６，１８：傾斜路、２０：投入枚数制限カバー、２２ａ，２２ｂ：投入枚数制限カバーアーム、２４ａ，２４ｂ，２４ｃ，２４ｄ：被係合部、２６ａ，２６ｂ：アーム固定金具、２８：係合部、３０：球体、３２ａ，３２ｂ，３２ｃ：スライドシート、Ｄ１：開口間隔、Ｓ１，Ｓ２：傾斜面。
【図１】
0003183774.tif 000003
【図２】
0003183774.tif 000004
【図３】
0003183774.tif 000005
【図４】
0003183774.tif 000006
【図５】
0003183774.tif 000007
【図６】
0003183774.tif 000008
【図７】
0003183774.tif 000009
【図８】
0003183774.tif 000010